(57)【特許請求の範囲】
【請求項１】
回路基板と、
前記回路基板に実装されるコネクタ部と、
前記回路基板を収容するケースと、を備える基板ユニットであって、
前記ケースは、
上方に開口して前記回路基板を収納する収納部を有する下部ケースと、
前記下部ケースの前記収納部を覆う上部カバーと、
前記コネクタ部が相手側コネクタ部と嵌合可能に当該ケースの側壁に開口した開口部と、を備え、
前記上部カバーは、
前記収納部に収納された前記回路基板に対向する基板対向領域と、前記回路基板に対向せず前記基板対向領域よりも外側に位置する外側領域とを有する天井部と、
前記基板対向領域から前記外側領域に亘って傾斜して形成され、前記基板対向領域に存在する水滴を前記外側領域に導いて前記回路基板の外側に排出するガイド溝とを備え、
前記下部ケースは、
前記下部ケースにおける前記収納部の外周に形成されて、前記ケースの外部から前記収納部内への水の浸入を防止する防水壁部と、
前記防水壁部と前記収納部との間で前記防水壁部と間隔を開けて形成される内壁部とを有し、
前記ガイド溝における前記水滴の排出口は、前記防水壁部と前記内壁部との間に臨むように設けられており、
前記防水壁部は、前記内壁部との間に排出された前記水滴を前記防水壁部の外側に排出する排出部を備える基板ユニット。
【請求項２】
前記基板対向領域は、前記コネクタ部に対向するコネクタ対向領域を有し、
前記ガイド溝は、前記コネクタ対向領域から前記外側領域に亘って形成されている請求項１に記載の基板ユニット。
【請求項３】
前記天井部は、前記コネクタ対向領域から前記外側領域に亘って形成され、前記コネクタ対向領域から前記外側領域に向かって高さが高くなる傾斜状のリブを有し、
前記ガイド溝は、前記リブの端面に形成されている請求項２に記載の基板ユニット。
【発明の詳細な説明】
【技術分野】
【０００１】
本発明は、基板ユニットに関する。
【背景技術】
【０００２】
特許文献１に記載されるように、電気機器を収容する車載用のケース等では、水の浸入によって収容物である電気機器の故障を防止する防水構造が施される。
【先行技術文献】
【特許文献】
【０００３】
【特許文献１】特開２０１４−１７５３６５号公報
【発明の概要】
【発明が解決しようとする課題】
【０００４】
特許文献１のように、シール部材によってケース内部を密閉等する手法では、製造コストが増加してしまう。
【０００５】
そこで、簡易な構成で内部の回路基板への水滴の付着を抑制できる基板ユニットを提供することを目的の一つとする。
【課題を解決するための手段】
【０００６】
本開示に係る基板ユニットは、
回路基板と、
前記回路基板に実装されるコネクタ部と、
前記回路基板を収容するケースと、を備える基板ユニットであって、
前記ケースは、
上方に開口して前記回路基板を収納する収納部を有する下部ケースと、
前記下部ケースの前記収納部を覆う上部カバーと、
前記コネクタ部が相手側コネクタ部と嵌合可能に当該ケースの側壁に開口した開口部と、を備え、
前記上部カバーは、
前記収納部に収納された前記回路基板に対向する基板対向領域と、前記回路基板に対向せず前記基板対向領域よりも外側に位置する外側領域とを有する天井部と、
前記基板対向領域から前記外側領域に亘って傾斜して形成され、前記基板対向領域に存在する水滴を前記外側領域に導いて前記回路基板の外側に排出するガイド溝とを備える。
【発明の効果】
【０００７】
上記基板ユニットは、簡易な構成で内部の回路基板への水滴の付着を抑制できる。
【図面の簡単な説明】
【０００８】
【図１】実施形態１に係る基板ユニットの概略を示す斜視図である。
【図２】実施形態１に係る基板ユニットの概略を示す分解斜視図である。
【図３】実施形態１に係る基板ユニットに備わる上部カバーの下面の概略を示す斜視図である。
【図４】実施形態１に係る基板ユニットに備わる上部カバーの下面の概略を示す下面図である。
【図５】図１に示す基板ユニットの（Ｖ）−（Ｖ）切断線で切断した状態を示す断面図である。
【図６】実施形態１に係る基板ユニットに備わる下部ケースの防水壁部と内壁部の概略を示す斜視図である。
【発明を実施するための形態】
【０００９】
《本発明の実施形態の説明》
最初に本発明の実施態様を列記して説明する。
【００１０】
（１）本発明の一態様に係る基板ユニットは、
回路基板と、
前記回路基板に実装されるコネクタ部と、
前記回路基板を収容するケースと、を備える基板ユニットであって、
前記ケースは、
上方に開口して前記回路基板を収納する収納部を有する下部ケースと、
前記下部ケースの前記収納部を覆う上部カバーと、
前記コネクタ部が相手側コネクタ部と嵌合可能に当該ケースの側壁に開口した開口部と、を備え、
前記上部カバーは、
前記収納部に収納された前記回路基板に対向する基板対向領域と、前記回路基板に対向せず前記基板対向領域よりも外側に位置する外側領域とを有する天井部と、
前記基板対向領域から前記外側領域に亘って傾斜して形成され、前記基板対向領域に存在する水滴を前記外側領域に導いて前記回路基板の外側に排出するガイド溝とを備える。
【００１１】
上記の構成によれば、上部カバーがガイド溝を備えるという簡易な構成でケースの内部の回路基板への水滴の付着を抑制できる。ガイド溝により上部カバーの裏面（下面）の基板対向領域に付着した水滴を外側領域に導いて回路基板の外側に排出できて、水滴の回路基板上への落下を防止できるからである。そのため、防水リング等の防水部材を別途設けなくてもよい。それにより、部品点数を削減でき、基板ユニットの組立作業性を向上できる。
【００１２】
基板対向領域に存在する水滴とは、（１）ケースの外部から内部に浸入した水滴（浸入水）と、（２）ケースの内部の水蒸気が結露した水滴（結露水）と、が考えられる。浸入水や結露水は、上部カバーの下面を伝ってガイド溝に入り、外側領域に導かれて回路基板の外側に排出される。
【００１３】
（２）上記基板ユニットの一形態として、前記基板対向領域は、前記コネクタ部に対向するコネクタ対向領域を有し、前記ガイド溝は、前記コネクタ対向領域から前記外側領域に亘って形成されていることが挙げられる。
【００１４】
上記の構成によれば、回路基板への水滴の付着をより効果的に抑制し易い。従来、基板対向領域に存在する水滴は、結露した水滴に比べて、ケースの側壁に形成された開口部から内部に浸入した水滴であることが多い。そのため、開口部（水滴の入口）に近いコネクタ対向領域にガイド溝を形成していることで、浸入した水滴を開口部付近で外側領域に導くことができて、水滴のケースの奥（基板対向領域）への浸入を防止し易いからである。
【００１５】
（３）前記基板対向領域が前記コネクタ対向領域を有する上記基板ユニットの一形態として、以下の形態が挙げられる。
前記天井部は、前記コネクタ対向領域から前記外側領域に亘って形成され、前記コネクタ対向領域から前記外側領域に向かって高さが高くなる傾斜状のリブを有し、
前記ガイド溝は、前記リブの端面に形成されている。
【００１６】
上記の構成によれば、上部カバーの強度を高めつつ、回路基板への水滴の付着を抑制できる。
【００１７】
（４）上記基板ユニットの一形態として、以下の形態が挙げられる。
前記下部ケースは、
前記下部ケースにおける前記収納部の外周に形成されて、前記ケースの外部から前記収納部内への水の浸入を防止する防水壁部と、
前記防水壁部と前記収納部との間で前記防水壁部と間隔を開けて形成される内壁部とを有し、
前記ガイド溝における前記水滴の排出口は、前記防水壁部と前記内壁部との間に臨むように設けられており、
前記防水壁部は、前記内壁部との間に排出された前記水滴を前記防水壁部の外側に排出する排出部を備える。
【００１８】
上記の構成によれば、防水壁部によりケース外部から内部への水滴の浸入を防止できることに加えて、防水壁部の内側の内壁部により、防水壁部と内壁部との間に排出した水滴が流れて回路基板に付着することを抑制できる。また、排出部を備えることで、防水壁部と内壁部との間に排出した水滴をその場に留まらせることなく、防水壁部の外側に排出できる。
【００１９】
《本発明の実施形態の詳細》
本発明の実施形態の詳細を、以下に図面を参照しつつ説明する。図中の同一符号は同一名称物を示す。
【００２０】
《実施形態１》
〔基板ユニット〕
図１から図６を参照して、実施形態１に係る基板ユニット１Ａを説明する。基板ユニット１Ａは、回路基板１０と、回路基板１０に実装されるコネクタ部２０と、回路基板１０及びコネクタ部２０を収容するケース４０とを備える。ケース４０は、下部ケース４１と、上部カバー４４と、ケース４０の側壁に開口した開口部４８とを備える。開口部４８は、コネクタ部２０が相手側コネクタ部（図示略）と嵌合可能に開口している。この基板ユニット１Ａの特徴の一つは、上部カバー４４がその裏面（下面）に存在する水滴を回路基板１０上へ落下させることなく回路基板１０の外側へ排出させるガイド溝４５３を備える点にある。以下、各構成の詳細を説明する。以下の説明では、基板ユニット１Ａにおいて、ケース４０の下部ケース４１側を下側、上部カバー４４側を上側とし、ケース４０の上下方向と直交する方向であって、コネクタ部２０が配置される側を前側、その反対側を後側とする。上下方向及び前後方向の両方向に直交する方向を左右とする。
【００２１】
［回路基板］
回路基板１０は、半導体リレー等の電子部品（図示略）やコネクタ部２０を実装させる（図２）。回路基板１０は、絶縁基板と、その一面に形成されて電子部品が電気的に接続される回路（導体）パターン（図示略）とを有する。この回路基板１０は、プリント基板を用いることができる。
【００２２】
［コネクタ部］
コネクタ部２０は、基板ユニット１Ａに相手側コネクタ部（図示略）を接続する。コネクタ部２０は、外方に開口して相手側コネクタ部と嵌合可能なフード状のコネクタハウジング２２と、コネクタハウジング２２の内部から回路基板１０側に延びるコネクタ端子２４とを備える（図２）。図１、図２では、説明の便宜上、コネクタハウジング２２を柱状で示している。コネクタ端子２４は、コネクタハウジング２２の開口と反対側の奥壁を貫通して設けられており、一端部がコネクタハウジング２２内に配置され、他端部が回路基板１０に形成された導電パターンに電気的に接続されている（図２）。この電気的な接続は、半田付けなどの公知の手法により行える。相手側コネクタ部はワイヤーハーネスを介して車載電装品等と接続されている。
【００２３】
［ケース］
ケース４０は、内部に回路基板１０（図２）及びコネクタ部２０を収容する。ケース４０は、図１に示すように、下部ケース４１と上部カバー４４とを組み合わせて構成される。下部ケース４１と上部カバー４４とを組み合わせて形成されるケース４０の側壁には、下部ケース４１と上部カバー４４とでコネクタ部２０が相手側コネクタ部と嵌合可能に開口した開口部４８（図１）が形成される。コネクタ部２０は、下部ケース４１と上部カバー４４とで挟み込まれることで、ケース４０に対して位置決めされる。
【００２４】
（上部カバー）
上部カバー４４は、下部ケース４１の収納部４１０（図２）を覆う（図１）。上部カバー４４は、図２に示すように、ケース４０の上面を形成する天井部４５と、天井部４５の周縁から浅く立設される側壁部４６とで構成された一体物である。上部カバー４４は、下部ケース４１の土台部４３４を露出させた状態で下部ケース４１の上方を覆うような形状に形成されており、外壁の一部に切欠部４４ｃを有する。この切欠部４４ｃにより、下部ケース４１に上部カバー４４が固定された状態においても、バスバー６０（後述）の延設部６０ｃを通すことができる隙間が確保される。この隙間によって、土台部４３４の上面にバスバー６０の延設部６０ｃを載置できる。
【００２５】
〈天井部〉
天井部４５は、図４に示すように、収納部４１０に収納された回路基板１０に対向する基板対向領域４５１（二点鎖線の外縁参照）と、回路基板１０に対向せず基板対向領域４５１よりも外側に位置する外側領域４５２とを有する。ここでは、天井部４５の形状は略矩形平板状であり、天井部４５の下面は平面状である。天井部４５の下面は、左右方向の中央から左右両側に向かって下向きに傾斜する傾斜面（三角屋根型）であってもよい。基板対向領域４５１の形状は、回路基板１０の形状と同じ矩形である。外側領域４５２の形状は、基板対向領域４５１の周りを囲む略矩形枠状である。基板対向領域４５１は、コネクタ部２０に対向するコネクタ対向領域４５１ａと、コネクタ対向領域４５１ａのコネクタ部２０の軸方向沿いに延長した延長領域４５１ｂとを有する。
【００２６】
天井部４５の下面には、その下面に存在する水滴が回路基板１０上に落下しないようにするガイド溝４５３が形成されている（図３，図４）。ここでは、天井部４５の下面にリブ４５４を設け、ガイド溝４５３は、天井部４５の下面とリブ４５４の端面とに一連に形成されている。
【００２７】
・ガイド溝
ガイド溝４５３は、基板対向領域４５１に存在する水滴を外側領域４５２に導いて回路基板１０の外側に排出する。それにより、基板対向領域４５１に存在する水滴が回路基板１０に落下して付着することを抑制できる。基板対向領域４５１内に存在する水滴とは、（１）ケース４０の外部から内部に浸入した水滴（浸入水）と、（２）ケース４０の内部の水蒸気が結露した水滴（結露水）と、が考えられる。
【００２８】
（１）浸入水
ケース４０にかかった水滴は、ケース４０の表面を伝い、側壁部に形成された開口部４８側に流れ、開口部４８とコネクタ部２０との間からケース４０の内部に浸入することがある。
【００２９】
（２）結露水
ケース４０の容積が大きいなどケース４０内の水蒸気量が多い場合、外気によってケース４０が冷やされると、上部カバー４４の下面に結露した水滴が付着することがある。
【００３０】
浸入水や結露水は、上部カバー４４の下面を伝ってガイド溝４５３に入る。ガイド溝４５３の水滴は、基板対向領域４５１から外側領域４５２に導かれて回路基板１０の外側に排出される。
【００３１】
ガイド溝４５３は、基板対向領域４５１から外側領域４５２に亘って傾斜して形成されている。傾斜して形成とは、基板対向領域４５１から外側領域４５２に向かって深さが浅くなる場合と、本例のように、基板対向領域４５１から外側領域４５２に向かって深さが一様だが、後述する傾斜状のリブ４５４によりガイド溝４５３自体が水平方向に対して傾斜する場合とが挙げられる。
【００３２】
ガイド溝４５３の数は単数でもよいし複数でもよい。いずれの場合でも、ガイド溝４５３は、少なくとも開口部４８の近傍、例えば、基板対向領域４５１のコネクタ対向領域４５１ａから左右の外側領域４５２に亘って設けることが好ましい。そうすれば、ケース４０内に浸入した水滴の回路基板１０への落下を防止し易い。ガイド溝４５３がケース４０における水滴の入口である開口部４８に近いところに設けられていることで、浸入した水滴を入口近傍で外側領域４５２に導くことができて、水滴のケース４０の奥への浸入を防止し易いからである。コネクタ対向領域４５１ａから左右の外側領域４５２に亘って形成するガイド溝４５３の長手方向の向きは、左右方向に沿っていることが好ましい。そうすれば、ガイド溝４５３を直線状に形成しつつ、外側領域４５２までの長さを短くし易いため、水滴が回路基板１０上に落下すること無く回路基板１０の外側に排出し易い。
【００３３】
ガイド溝４５３の数を複数とする場合、ガイド溝４５３は、コネクタ対向領域４５１ａから左右の外側領域４５２に亘る箇所に加えて、延長領域４５１ｂから左右の外側領域４５２に亘る箇所に設けることが好ましい。そうすれば、ケース４０内で水蒸気が結露した水滴の回路基板１０への落下を防止し易い。延長領域４５１ｂから左右の外側領域４５２に亘って形成するガイド溝４５３の長手方向の向きは、適宜選択できる。例えば、ガイド溝４５３をコネクタ対向領域４５１ａから外側領域４５２に亘って形成する場合と同様の左右方向や、左右及び前後の両方に交差する斜め方向が挙げられる。ガイド溝４５３は、結露した水滴が天井部４５の下面のどこに存在しても回路基板１０への落下を防止し易くするように、天井部４５の下面に均等に分散して形成していることが好ましい。
【００３４】
ここでは、天井部４５の下面には、前側及び後側のそれぞれで前後方向に並列する３つの横ガイド溝４５３ｓ（計６つ）と、中央のクロス状の斜めガイド溝４５３ｘと、斜めガイド溝４５３ｘの交差点を挟んで前後に対向配置される２つの連結ガイド溝４５３ｃとが形成されている。
【００３５】
前側の３つの横ガイド溝４５３ｓのうち最前の１つの横ガイド溝４５３ｓは、左右方向に沿っていて、コネクタ対向領域４５１ａの左右方向の中央から左右の外側領域４５２に亘って形成されている。残り５つの横ガイド溝４５３ｓは、左右方向に沿っていて、延長領域４５１ｂの左右方向の中央から左右の外側領域４５２に亘って形成されている。
【００３６】
斜めガイド溝４５３ｘは、左右及び前後の両方向に交差すると共に延長領域４５１ｂの略中央から左右の外側領域４５２に亘って形成されている。斜めガイド溝４５３ｘは、中央で連通している。
【００３７】
２つの連結ガイド溝４５３ｃは、左右方向に沿うと共に延長領域４５１ｂから２つの斜めガイド溝４５３ｘに亘って形成されている。２つの連結ガイド溝４５３ｃは、２つの斜めガイド溝４５３ｘに連通している。
【００３８】
各ガイド溝４５３の水滴の流入口４５３ｉは、コネクタ対向領域４５１ａや延長領域４５１ｂに形成されている。各流入口４５３ｉはいずれも、ガイド溝４５３の中央部や交差位置に位置している。各ガイド溝４５３の水滴の流入口４５３ｉの開口端は天井部４５の下面と面一である。そのため、水滴をガイド溝に流入させ易い。各ガイド溝４５３の水滴の排出口４５３ｏは、後述する下部ケース４１の防水壁部４３２と内壁部４３３との間に臨むように設けられている（図５拡大図）。そのため、各ガイド溝４５３を流れる水滴は、防水壁部４３２と内壁部４３３との間に落下して排出される。
【００３９】
ガイド溝４５３の横断面形状は、適宜選択できる。ここでは。ガイド溝４５３の横断面形状は、半円状としている（図４（ｂ）−（ｂ）断面の拡大図）。ガイド溝４５３の幅は、毛細管現象が生じる幅であることが好ましい。ガイド溝４５３を毛細管とみなした毛細管現象によって、基板対向領域４５１に存在する水滴をガイド溝４５３に沿って外側領域４５２まで導き易い。ガイド溝４５３の幅は、狭いほど毛細管現象による効果を得られる。但し、ガイド溝４５３の幅は、過度に狭過ぎないようにすることが好ましい。そうすれば、ガイド溝４５３での水滴の流通が阻害され難い。ガイド溝４５３の深さは、ガイド溝４５３の形成箇所に応じて適宜選択できる。本例のようにリブ４５４の端面に形成する場合、ガイド溝４５３の深さは、長手方向に一様とすることが挙げられる。
【００４０】
・リブ
リブ４５４は、天井部４５を補強する。ここでは、リブ４５４は、ガイド溝４５３の一部の形成箇所に利用される。リブ４５４の数は、多いほど天井部４５の強度を高められる。
【００４１】
リブ４５４は、リブ４５４をガイド溝４５３の形成箇所に利用することを考慮すると、基板対向領域４５１から外側領域４５２に亘って設けることが挙げられる。そうすれば、ガイド溝４５３を基板対向領域４５１から外側領域４５２に亘って設けることができるからである。より具体的には、基板対向領域４５１のコネクタ対向領域４５１ａや延長領域４５１ｂから外側領域４５２に亘って設けることが挙げられる。
【００４２】
リブ４５４の形成箇所をコネクタ対向領域４５１ａから外側領域４５２に亘る箇所とすれば、ガイド溝４５３をコネクタ対向領域４５１ａから外側領域４５２に亘って設けることができる。そのため、ケース４０内に浸入した水滴の回路基板１０への落下を防止し易い。コネクタ対向領域４５１ａから外側領域４５２に亘って形成するリブ４５４の長手方向の向きは、左右方向が好ましい。
【００４３】
リブ４５４の形成箇所を延長領域４５１ｂから外側領域４５２に亘る箇所とすれば、ガイド溝４５３を延長領域４５１ｂから外側領域４５２に亘って設けることができる。そのため、ケース４０内で水蒸気が結露した水滴の回路基板１０への落下を防止し易い。延長領域４５１ｂから外側領域４５２に亘って形成するリブ４５４の長手方向の向きは、左右方向や斜め方向が挙げられる。
【００４４】
リブ４５４の数を複数とする場合、そのうち、互いに連結するリブ４５４が設けられていてもよい。その場合、連結するリブ４５４の端面に形成されるガイド溝４５３同士は連通していてもよい。
【００４５】
ここでは、天井部４５の下面には、前側及び後側のそれぞれで前後方向に並列する３対の横リブ４５４ｓ（計６対）と、略中央でクロス状に配置される４つの斜めリブ４５４ｘと、中央を挟んで前後に対向配置されて斜めリブ４５４ｘに連結される２対の連結リブ４５４ｃとが形成されている。
【００４６】
各対の横リブ４５４ｓは、左右方向に沿っていて、同一直線上で互いに間隔を開けて設けられている。前側の３対の横リブ４５４ｓのうち最前の１対の横リブ４５４ｓは、コネクタ対向領域４５１ａの左右端部近傍から左右両側の外側領域４５２に亘って形成されている。残り５対の横リブ４５４ｓは、延長領域４５１ｂの左右端部近傍から左右両側の外側領域４５２に亘って形成されている。各対の横リブ４５４ｓ間における天井部４５の下面と、各対の横リブ４５４ｓの端面とには、一連の横ガイド溝４５３ｓが形成されている。
【００４７】
４つの斜めリブ４５４ｘは、交差する２本の対角線方向のうち、一方の対角線方向と他方の対角線方向のそれぞれに２つずつ沿っており、同一対角線上で互いに間隔を開けて設けられている。４つの斜めリブ４５４ｘは、左右及び前後の両方向に交差するように延長領域４５１ｂの左右端部近傍から左右の外側領域４５２に亘って形成されている。それぞれの同一対角線上に位置する２つの斜めリブ４５４ｘ間における天井部４５の下面と、その２つの斜めリブ４５４ｘの端面とには、一連の斜めガイド溝４５３ｘが形成されている。
【００４８】
各対の連結リブ４５４ｃは、左右方向に沿っていて、同一直線上で互いに間隔を開けて設けられている。各対の連結リブ４５４ｃは、延長領域４５１ｂの左右端部近傍から斜めリブ４５４ｘに亘って形成されている。各対の連結リブ４５４ｃ間における天井部４５の下面と、各対の連結リブ４５４ｃの端面とには、一連の連結ガイド溝４５３ｃが形成されている。
【００４９】
各リブ４５４の形状はいずれも、コネクタ対向領域４５１ａや延長領域４５１ｂから外側領域４５２に向かって高さが高くなる傾斜状（三角状）としている。各リブ４５４の一端（流入口４５３ｉ側）は、コネクタ対向領域４５１ａや延長領域４５１ｂの左右端部近傍に設けられている。それにより、各リブ４５４が水滴のガイド溝４５３への流入を阻害せず、水滴をガイド溝４５３に流入させ易い。各リブ４５４の他端（排出口４５３ｏ側）は、外側領域４５２に設けられている。それにより、リブ４５４の端面に形成したガイド溝４５３の排出口４５３ｏを外側領域４５２に設けられる。そのため、水滴を外側領域４５２に流れ易くして水滴の回路基板１０への落下を防止し易い。
【００５０】
〈側壁部〉
側壁部４６は、下部ケース４１と係合して上部カバー４４と下部ケース４１とを一体化する。それにより、ケース４０の外部から内部への水の浸入を防止する。側壁部４６の形成箇所は、天井部４５の周縁における左右両側の中央部分を除いた箇所としている。即ち、側壁部４３は、天井部４５の前側の周縁と左右両側における前側の周縁とに一連に形成され、天井部４５の後側の周縁と左右両側における後側の周縁とに一連に形成されている。側壁部４６は、下部ケース４１の上面に形成された差込み溝４３１（図２，図５、図６）に差し込まれる。この側壁部４６は、上側凹部４６０と、突出部４６１と、係合孔４６２とを有する。
【００５１】
・上側凹部
上側凹部４６０は、下部ケース４１の下側凹部４３０とで内部にコネクタ部２０が配置される開口部４８を形成する。上側凹部４６０の形成箇所は、下側凹部４３０に対応する箇所で、前側の側壁部４６の中央部分である。上側凹部４６０の大きさは、下側凹部４３０とで形成される開口部４８にコネクタ部２０が配置可能で、コネクタ部２０のケース４０に対して位置決め可能な大きさを適宜選択できる。上側凹部４６０には、コネクタ部２０の先端側が外方に露出されるように配置される。
【００５２】
・突出部
突出部４６１は、コネクタ部２０の露出された部分を覆って外方に突出するように上側凹部４６０の周囲に形成されている。突出部４６１は、図２に示すように、コネクタ部２０の上方及び両側方を囲む上部４６１ｕ及び両側部４６１ｓを有する端面が逆Ｕ字状である。突出部４６１の下端部（両側部４６１ｓの下端部）は、開口部４８（コネクタ部２０）の下縁よりも下方に位置している。突出部４６１の上部４６１ｕは、天井部４５の表面（上面）と略面一な平坦面で形成されている。
【００５３】
・係合孔
係合孔４６２は、側壁部４６が下部ケース４１の差込み溝４３１に差し込まれた際、下部ケース４１（防水壁部４３２）の係合突起４３２ａに係合する。この係合により、側壁部４６の差込み溝４３１への差込み状態が維持されることで、上部カバー４４と下部ケース４１とが固定される。係合孔４６２の形成箇所は、側壁部４６の周方向の適所に設けられ、ここでは前側の側壁部４６や左右両側の側壁部４６としている。
【００５４】
上部カバー４４の材質は、例えばポリプロピレン（ＰＰ）樹脂やポリアミド（ＰＡ）樹脂などの合成樹脂が挙げられる。
【００５５】
（下部ケース）
下部ケース４１は、回路基板１０、コネクタ部２０、及びバスバー６０（後述）を内部に収納する（図２）。下部ケース４１は、底部４２と、底部４２の周縁から浅く立設される側壁部４３とで構成され、底部４２と反対側（上側）が開口した箱状である。底部４２と側壁部４３とで囲まれた箇所には、回路基板１０、コネクタ部２０、及びバスバー６０を収納する収納部４１０が形成される。本例では、底部４２と側壁部４３とは、一体に成形されておらず、それぞれ独立した部材であり、ネジ４２ｂ（図５）等の固定部材により一体化されている。底部４２と側壁部４３とは、一体に成形されていてもよい。
【００５６】
〈底部〉
底部４２は、回路基板１０及び後述するバスバー６０が載置される（図２，５）。底部４２の形状は、回路基板１０及びバスバー６０よりも大きな平板状である。底部４２には、側壁部４３と一体化するネジ４２ｂを挿通する挿通孔（図示略）が形成されている。底部４２は、回路基板１０に実装された電子部品の熱を放熱するヒートシンクで構成される。ヒートシンクは、例えばアルミニウム等の金属板を用いることができる。
【００５７】
〈側壁部〉
側壁部４３は、底部４２と共に回路基板１０及びバスバー６０を収納する収納部４１０を形成する（図２）。側壁部４３の形状は、底部４２の全周に亘って連続した略矩形枠体であり、側壁部４３は、コネクタ部２０を含む回路基板１０の外周の四方を囲っている。側壁部４３は、その上面に形成される下側凹部４３０、差込み溝４３１、防水壁部４３２、内壁部４３３、及び土台部４３４と、その下面に形成される段差部４３５（図５）とを有する。
【００５８】
・下側凹部
下側凹部４３０は、上部カバー４４の上側凹部４６０とで内部にコネクタ部２０が配置される開口部４８（図１）を形成する。下側凹部４３０の形成箇所は、上側凹部４６０に対応する箇所であり、前方の側壁部４３の中央部分である。下側凹部４３０の大きさは、上側凹部４６０とで形成される開口部４８にコネクタ部２０が配置可能で、コネクタ部２０のケース４０に対して位置決め可能な大きさを適宜選択できる。
【００５９】
・差込み溝
差込み溝４３１は、上部カバー４４の側壁部４６が差し込まれる（図２、図６）。差込み溝４３１の形成箇所（上面視した形状）は、上部カバー４４の側壁部４６の形成箇所（下面視した形状）に応じて適宜選択できる。差込み溝４３１の形成箇所は、側壁部４３の上面における左右両側の中央部分を除いた箇所としている。差込み溝４３１は、前側の側壁部４３の左右のそれぞれの角部と、後側における左右側の領域とに形成されている。前側の差込み溝４３１の平面視した形状は、Ｌ字状であり、後側の差込み溝４３１の平面視した形状は、Ｉ字状である。差込み溝４３１の幅と深さとは、上部カバー４４の側壁部４６の厚みと差し込み量とに応じて適宜選択できる。
【００６０】
・防水壁部
防水壁部４３２は、収納部４１０の外周に形成されて、ケース４０の外部から収納部４１０内への水の浸入を防止する（図２、図６）。防水壁部４３２は、差込み溝４３１の側面を形成し、上部カバー４４が差込み溝４３１に差し込まれた際、上部カバー４４の側壁部４６と収納部４１０との間に設けられていて、上部カバー４４の側壁部４６の内面と接触する。防水壁部４３２の形成箇所は、差込み溝４３１と同様であり、前側の側壁部４３の左右のそれぞれの角部と、後側における左右側の領域としている。前側の防水壁部４３２の平面視した形状は、Ｌ字状であり、後側の防水壁部４３２の平面視した形状は、Ｉ字状である。防水壁部４３２は、係合突起４３２ａと、排水部（図示略）とを有する。
【００６１】
係合突起４３２ａは、差込み溝４３１に差し込まれた上部カバー４４の側壁部４６の係合孔４６２と係合する（図２、図６）。この係合により、上部カバー４４と下部ケース４１とが固定される。係合突起４３２ａの形成箇所は、係合孔４６２に対応する箇所で、側壁部４３の周方向の適所に設けられ、前側の防水壁部４３２や左右両側の防水壁部４３２に設けられている。
【００６２】
排水部は、内壁部４３３との間に排出された水滴を防水壁部４３２の外側に排出する。
【００６３】
・内壁部
内壁部４３３は、ガイド溝４５３から排出された水滴が、収納部４１０内部へ移動することを防止する（図２、図６）。内壁部４３３は、防水壁部４３２と収納部４１０との間で防水壁部４３２と間隔を開けて形成されている。内壁部４３３は、収納部４１０の縁を形成している。内壁部４３３の形成箇所は、防水壁部４３２と同様であり、前側の側壁部４３の左右のそれぞれの角部と、後側における左側の角部から右側の角部に亘る領域としている。前側の内壁部４３３の平面視した形状は、Ｌ字状であり、後側の内壁部４３３の平面視した形状は、［字状である。
【００６４】
・土台部
土台部４３４は、雄ねじ部８０が固定される端子固定部を有する。土台部４３４は、左右両側の中央部の上面に形成されている。土台部４３４には、バスバー６０の延設部６０ｃが載置される。
【００６５】
・段差部
段差部４３５は、底部４２が嵌め込まれる（図５）。段差部４３５は、側壁部４３の下面の内周縁部に形成されている。段差部４３５には、底部４２と一体化するネジ４２ｂを固定するネジ穴（図示略）が形成されている。
【００６６】
下部ケース４１の材質は、上部カバー４４と同様、例えばＰＰ樹脂やＰＡ樹脂などの合成樹脂が挙げられる。
【００６７】
［バスバー］
バスバー６０は、電力回路を構成する。バスバー６０は、電源や電気的負荷に接続される。バスバー６０の数は複数であり、複数のバスバー６０は所定のレイアウトで配列されている。バスバー６０は、中央部分とその左右に段差状に延びる延設部６０ｃとを備える。バスバー６０の中央部分の前方部分は、コネクタ部２０の下方に位置し、回路基板１０の下面と底部４２の上面との間に介在される。これら中央部分と延設部６０ｃとは一体に形成されている。中央部分は、平面状に形成され、回路基板１０の下面と底部４２の上面との間に介在される。延設部６０ｃは、下部ケース４１の土台部４３４の上面に配置される。延設部６０ｃは、階段状に屈曲して形成され、中央部分の両側にそれぞれ連続している。
【００６８】
延設部６０ｃは、外部機器を電気的に接続するための部分であり、図示しない電線（ワイヤーハーネス）の接続端子が電気的に接続される。延設部６０ｃには、雄ねじ部８０が挿通される端子挿通孔６０ｈが形成されている。端子挿通孔６０ｈには、下部ケース４１の端子固定部に固定された雄ねじ部８０が挿通される。雄ねじ部８０には、ワイヤーハーネス（図示略）が取り付けられる。バスバー６０とワイヤーハーネスとは、雄ねじ部８０を介して電気的に接続される。バスバー６０の材質は、導電性の金属が挙げられ、具体的には銅や銅合金などが挙げられる。回路基板１０とバスバー６０との固定には、両者１０，６０間に介在させる接着シート（図示略）を用いることができる。
【００６９】
［用途］
基板ユニット１Ａは、自動車における防水を要しない箇所に配置される基板ユニットに好適に利用できる。また基板ユニット１Ａは、直流電圧変換器、ＡＣ／ＤＣ変換器、ＤＣ／ＡＣインバータなどの大電流パワー制御ユニットに好適に利用できる。
【００７０】
〔作用効果〕
実施形態１の基板ユニット１Ａは、防水リング等の防水部材を別途設けるのではなく、上部カバー４４の天井部４５の下面に傾斜状のリブ４５４を形成し、その端面にガイド溝４５３を形成するという簡易な構成で、ケース４０の内部の回路基板１０への水滴の付着を抑制できる。水滴がケース４０の外部からその内部に浸入したり、ケース４０の内部の水蒸気が結露して水滴が生成されたりして、上部カバー４４の天井部４５の下面に水滴が付着しても、傾斜状のリブ４５４の端面に形成されたガイド溝４５３により水滴を回路基板１０の外側に排出できて、水滴の回路基板１０上への落下を防止できるからである。そのため、基板ユニット１Ａは、防水部材を別途設けなくても防滴性を確保できる。従って、水滴程度の防水（防滴）を確保する場合に好適に利用できる。また、防水部材を別途設けなくてもよいため、部品点数を削減でき、基板ユニット１Ａの組立作業性を向上できる。
【００７１】
《変形例１》
変形例１の基板ユニットは、リブを設けず、ガイド溝をリブの端面ではなく天井部の下面（裏面）に直接形成できる。その場合、ガイド溝の深さは、基板対向領域（コネクタ対向領域や延長領域）から外側領域に向かって浅くするとよい。そうすれば、基板対向領域に存在する水滴を外側領域に導くことができ、水滴が回路基板に落下して付着することを抑制できる。
【００７２】
《変形例２》
変形例２の基板ユニットは、天井部の下面を、左右方向の中央から左右両側に向かって下向きに傾斜する傾斜面（三角屋根型）とすることができる。その場合、ガイド溝の深さやリブの高さは、長手方向に一様とすることができる。そうすれば、天井部の下面自体が基板対向領域から外側領域に向かって下向きに傾斜しているため、ガイド溝により基板対向領域に存在する水滴を外側領域に導くことができる。
【００７３】
本発明はこれらの例示に限定されるものではなく、特許請求の範囲によって示され、特許請求の範囲と均等の意味および範囲内でのすべての変更が含まれることが意図される。
【符号の説明】
【００７４】
１Ａ  基板ユニット
１０  回路基板
２０  コネクタ部
２２  コネクタハウジング  ２４  コネクタ端子
４０  ケース
４１  下部ケース  ４１０  収納部
４２  底部
４２ｂ  ネジ
４３  側壁部
４３０  下側凹部  ４３１  差込み溝
４３２  防水壁部  ４３２ａ  係合突起  ４３３  内壁部
４３４  土台部  ４３５  段差部
４４  上部カバー
４４ｃ  切欠部
４５  天井部
４５１  基板対向領域
４５１ａ  コネクタ対向領域  ４５１ｂ  延長領域
４５２  外側領域
４５３  ガイド溝
４５３ｓ  横ガイド溝  ４５３ｘ  斜めガイド溝
４５３ｃ  連結ガイド溝
４５３ｉ  流入口  ４５３ｏ  排出口
４５４  リブ
４５４ｓ  横リブ  ４５４ｘ  斜めリブ  ４５４ｃ  連結リブ
４６  側壁部
４６０  上側凹部
４６１  突出部
４６１ｕ  上部  ４６１ｓ  側部
４６２  係合孔
４８  開口部
６０  バスバー  ６０ｃ  延設部  ６０ｈ  端子挿通孔
８０  雄ねじ部
【図１】
0006604519.tif 000002
【図２】
0006604519.tif 000003
【図３】
0006604519.tif 000004
【図４】
0006604519.tif 000005
【図５】
0006604519.tif 000006
【図６】
0006604519.tif 000007